(57)【要約】      （修正有）【課題】平滑に構成でき、かつ、アンテナ機能に優れ無線通信性能が向上して例えばプリント用の用紙等に適用した場合に印刷範囲の拡大を図ることが可能である無線識別素子付の紙製物体を提供する。【解決手段】無線識別素子１０付の紙製物体１は、紙面の一部又は紙肉厚部の一部に配置したＵＨＦ帯又はマイクロ波帯のＲＦＩＤタグ１１と、紙面の一部にＲＦＩＤタグ１１に接触又は近接状態で配置したアンテナ部として機能する金属層部１２ａ、１２ｂとからなる無線識別素子１０を有することを特徴とする。【選択図】図１
0003146542.tif 000002
【実用新案登録請求の範囲】
【請求項１】
紙面の一部又は紙肉厚部の一部に配置したＵＨＦ帯又はマイクロ波帯のＲＦＩＤタグと、
前記紙面の一部に前記ＲＦＩＤタグに接触又は近接状態で配置したアンテナ部として機能する金属層部とからなる無線識別素子を有すること、
を特徴とする無線識別素子付の紙製物体。
【請求項２】
紙面の一部又は紙肉厚部の一部に配置したＵＨＦ帯又はマイクロ波帯で、支持フィルム又は支持紙付き、基板付き、ＩＣチップモジュール、金属線アンテナ、ＩＣチップモジュールと金属線付きのいずれかから選定されるＲＦＩＤタグと、
前記紙面の一部に前記ＲＦＩＤタグに接触又は近接状態で配置したアンテナ部として機能する金属層部とからなる無線識別素子を有すること、
を特徴とする無線識別素子付の紙製物体。
【請求項３】
紙面の一部又は紙肉厚部の一部に配置したＵＨＦ帯又はマイクロ波帯で、支持フィルム又は支持紙付き、基板付き、ＩＣチップモジュール、金属線アンテナ、ＩＣチップモジュールと金属線付きのいずれかから選定されるＲＦＩＤタグと、
前記紙面の一部で、かつ、同一面又は表裏面のいずれかの態様で前記ＲＦＩＤタグに接触又は近接状態で配置したアンテナ部として機能する単数若しくは複数の金属層部とからなる無線識別素子を有すること、
を特徴とする無線識別素子付の紙製物体。
【請求項４】
紙面の一部又は紙肉厚部の一部に配置したＵＨＦ帯又はマイクロ波帯で、支持フィルム又は支持紙付き、基板付き、ＩＣチップモジュール、金属線アンテナ、ＩＣチップモジュールと金属線付きのいずれかから選定されるＲＦＩＤタグと、
前記紙面の一部で、かつ、同一面又は表裏面のいずれかの態様で前記ＲＦＩＤタグに接触又は近接状態で配置したアンテナ部として機能する直交配置、平行配置又は交差角度を有する配置のいずれかから選定される複数の金属層部とからなる無線識別素子を有すること、を特徴とする無線識別素子付の紙製物体。
【請求項５】
用紙、封筒、紙ファイル、紙製の段ボール等の紙製品のなかから選定される紙製物体における紙面の一部又は紙肉厚部の一部に配置したＵＨＦ帯又はマイクロ波帯で、支持フィルム又は支持紙付き、基板付き、ＩＣチップモジュール、金属線アンテナ、ＩＣチップモジュールと金属線付きのいずれかから選定されるＲＦＩＤタグと、
前記紙面の一部で、かつ、同一面又は表裏面のいずれかの態様で前記ＲＦＩＤタグに接触又は近接状態で配置したアンテナ部として機能する単数若しくは、直交配置、平行配置又は交差角度を有する配置のいずれかから選定される複数の金属層部とからなる無線識別素子を有すること、
を特徴とする無線識別素子付の紙製物体。
【請求項６】
表出面の一部又は肉厚部の一部に配置したＵＨＦ帯又はマイクロ波帯のＲＦＩＤタグと、
表出面の一部に、前記ＲＦＩＤタグに接触又は近接状態で配置したアンテナ部として機能する金属層部とからなる無線識別素子を有すること、
を特徴とする無線識別素子付の樹脂製物体。
【請求項７】
表出面の一部又は肉厚部の一部に配置したＵＨＦ帯又はマイクロ波帯で、支持フィルム又は支持紙付き、基板付き、ＩＣチップモジュール、金属線アンテナ、ＩＣチップモジュールと金属線付きのいずれかから選定されるＲＦＩＤタグと、
前記表出面の一部に前記ＲＦＩＤタグに接触又は近接状態で配置したアンテナ部として機能する金属層部とからなる無線識別素子を有すること、
を特徴とする無線識別素子付の樹脂製物体。
【請求項８】
表出面の一部又は肉厚部の一部に配置したＵＨＦ帯又はマイクロ波帯で、支持フィルム又は支持紙付き、基板付き、ＩＣチップモジュール、金属線アンテナ、ＩＣチップモジュールと金属線付きのいずれかから選定されるＲＦＩＤタグと、
前記表出面の一部で、かつ、同一面又は表裏面のいずれかの態様で前記ＲＦＩＤタグに接触又は近接状態で配置したアンテナ部として機能する単数若しくは、複数の金属層部とからなる無線識別素子を有すること、
を特徴とする無線識別素子付の樹脂製物体。
【請求項９】
表出面の一部又は肉厚部の一部に配置したＵＨＦ帯又はマイクロ波帯で、支持フィルム又は支持紙付き、基板付き、ＩＣチップモジュール、金属線アンテナ、ＩＣチップモジュールと金属線付きのいずれかから選定されるＲＦＩＤタグと、
前記表出面の一部で、かつ、同一面又は表裏面のいずれかの態様で前記ＲＦＩＤタグに接触又は近接状態で配置したアンテナ部として機能する、直交配置、平行配置又は交差角度を有する配置のいずれかから選定される複数の金属層部とからなる無線識別素子を有すること、
を特徴とする無線識別素子付の樹脂製物体。
【請求項１０】
樹脂製シート品、樹脂製ファイル、樹脂製カードケース、樹脂製袋、樹脂製梱包箱等の樹脂製品から選定される樹脂製物体におる表出面の一部又は肉厚部の一部に配置したＵＨＦ帯又はマイクロ波帯で、支持フィルム又は支持紙付き、基板付き、ＩＣチップモジュール、金属線アンテナ、ＩＣチップモジュールと金属線付きのいずれかから選定されるＲＦＩＤタグと、
前記表出面の一部で、かつ、同一面又は表裏面のいずれかの態様で前記ＲＦＩＤタグに接触又は近接状態で配置したアンテナ部として機能する直交配置、平行配置又は交差角度を有する配置のいずれかから選定される複数の金属層部とからなる無線識別素子を有すること、
を特徴とする無線識別素子付の樹脂製物体。
【請求項１１】
紙製若しくは樹脂製物体自体の表面若しくは裏面の一部又は肉厚部の一部に、ＲＦＩＤタグのアンテナ部として機能する金属層部を配置したことを特徴とするアンテナ要素付の紙製若しくは樹脂製物体。
【請求項１２】
紙製若しくは樹脂製物体自体の表面若しくは裏面の一部又は肉厚部の一部に、箔印刷、箔貼り付け、金属粒子入りインク塗布、蒸着、エッチング、金属線材、のいずれかの方法による金属層部を前記紙製若しくは樹脂製物体に取り付けられるＲＦＩＤタグと接触又は非接触で結合可能な状態で配置し、該ＲＦＩＤタグのアンテナ部として機能させるようにしたことを特徴とするアンテナ要素付の紙製若しくは樹脂製物体。
【請求項１３】
紙製若しくは樹脂製物体自体の表面若しくは裏面の一部又は肉厚部の一部に、箔印刷、箔貼り付け、金属粒子入りインク塗布、蒸着、エッチング、金属線材の配置、のいずれかの方法による単数若しくは複数の金属層部を前記紙製若しくは樹脂製物体に取り付けられるＲＦＩＤタグと接触又は非接触で結合可能な状態で配置し、該ＲＦＩＤタグのアンテナ部として機能させるようにしたことを特徴とするアンテナ要素付の紙製若しくは樹脂製物体。
【請求項１４】
紙製若しくは樹脂製物体自体の表面若しくは裏面の外周部に、箔印刷、箔貼り付け、金属粒子入りインク塗布、蒸着、エッチング、金属線材の配置、のいずれかの方法による金属層部を前記紙製若しくは樹脂製物体に取り付けられるＲＦＩＤタグと接触又は非接触で結合可能な状態で、かつ、ＲＦＩＤタグの動作周波数に対応する波長の１／２波長以上の長さで配置し、該ＲＦＩＤタグのアンテナ部として機能させるようにしたことを特徴とするアンテナ要素付の紙製若しくは樹脂製物体。
【請求項１５】
紙製若しくは樹脂製物体自体の表面若しくは裏面の外周部に、箔印刷、箔貼り付け、金属粒子入りインク塗布、蒸着、エッチング、金属線材の配置、のいずれかの方法による金属層部を前記紙製若しくは樹脂製物体に取り付けられるＲＦＩＤタグと接触又は非接触で結合可能な状態で、かつ、ＲＦＩＤタグの動作周波数に対応する波長の１／２波長以下の長さで配置し、該ＲＦＩＤタグの磁界型アンテナ部として機能させるようにしたことを特徴とするアンテナ要素付の紙製若しくは樹脂製物体。
【請求項１６】
紙製若しくは樹脂製物体自体の表面若しくは裏面に配置した２ポート付きで２系統回路構成のＩＣチップを含むＲＦＩＤタグと、前記ＩＣチップの２ポートに各々結合する状態で配置したアンテナ部として機能する、単数若しくは複数個の金属層部とからなる無線識別素子を有すること、を特徴とする無線識別素子付の紙製若しくは樹脂製物体。
【請求項１７】
ラベル型で表面に文字等の印刷情報が付され、裏面に貼り付け用の糊が付着される無線識別素子付の紙製若しくは樹脂製物体であって、
前記無線識別素子は、前記紙製若しくは樹脂製物体自体の裏面外周部に、箔印刷又は箔貼り付けの方法により配置したアンテナ部として機能する金属層部と、前記紙製若しくは樹脂製物体自体の裏面外周部において文字等の印刷範囲に対応する領域外でＩＣチップが前記金属層部と結合するように配置したＲＦＩＤタグと、を具備することを特徴とする無線識別素子付の紙製若しくは樹脂製物体。
【考案の詳細な説明】
【技術分野】
【０００１】
本考案は、無線識別素子付の紙製物体、無線識別素子付の樹脂製物体、アンテナ要素付の紙製若しくは樹脂製物体及び無線識別素子付の紙製若しくは樹脂製物体に関するものである。
【背景技術】
【０００２】
近年、ＲＦＩＤタグ（Ｒａｄｉｏ Ｆｒｅｑｕｅｎｃｙ Ｉｄｅｎｔｉｆｉｃａｔｉｏｎ  タグ）に関連する技術が急速に進歩し、紙等に対する印刷分野、各種商品の生産分野、各種商品の流通分野、各種物品に関する情報識別管理分野等、社会の各種分野において広範に応用されている。
【０００３】
このようなＲＦＩＤタグの技術分野について考察すると、ＲＦＩＤタグを含む無線識別素子の小型化、平滑化、コストダウン、無線通信性能の向上、印刷分野における用紙等に対する印刷範囲の拡大、省資源による環境負荷の低減等、多くの社会的要請に対応することが必要であると考えられが、上述した種々の社会的要請を十分満足し得る域に到達していないのが現状である。
【０００４】
特許文献１には、第１アンテナアームと、第２アンテナアームとを鋭角を形成する配置としてＩＣチップに接続し、ＵＨＦ帯で動作するＲＦＩＤタグ用のアンテナ構造体が提案されている。
【０００５】
この特許文献１のアンテナ構造体の場合、第１アンテナアームと、第２アンテナアームとを鋭角を形成する配置としているので、例えばプリント用の用紙等に取り付けた場合、紙面の内部領域にアンテナアームが存在することになり、印刷可能範囲を狭める可能性がある。
【特許文献１】特表２００７−５２７１７４号公報
【考案の開示】
【考案が解決しようとする課題】
【０００６】
本考案が解決しようとする問題点は、平滑に構成でき、かつ、アンテナ機能に優れ無線通信性能が向上して例えばプリント用の用紙等に適用した場合に印刷範囲の拡大を図ることが可能であるという主要な特徴を有する無線識別素子付の紙製物体が存在しない点である。さらにＲＦＩＤタグが与える用紙の印刷デザイン仕様への影響少なくし、若しくは、用紙が既に持っている既存の印刷デザイン仕様を、ＲＦＩＤのアンテナとして活用できるような紙製物体が存在しない点である。
【課題を解決するための手段】
【０００７】
本考案の無線識別素子付の紙製物体は、紙面の一部又は紙肉厚部の一部に配置したＵＨＦ帯又はマイクロ波帯のＲＦＩＤタグと、前記紙面の一部に前記ＲＦＩＤタグに接触又は近接状態で配置したアンテナ部として機能する金属層部とからなる無線識別素子を有する（ＲＦＩＤタグと用紙面のアンテナは電気接続する必要がない）ことを最も主要な特徴とする。
【考案の効果】
【０００８】
請求項１記載の考案によれば、紙面の一部又は紙肉厚部の一部に配置したＵＨＦ帯又はマイクロ波帯のＲＦＩＤタグと、前記紙面の一部に前記ＲＦＩＤタグに接触又は近接状態で配置したアンテナ部として機能する金属層部とからなる無線識別素子を有して構成したものであるから、全体として平滑化が可能であるとともに、ＵＨＦ帯又はマイクロ波帯において無線識別素子全体としてアンテナ性能が向上し微弱電波でも通信可能となり、これにより、全体としてＲＦＩＤタグ１１自体の小型化、低コスト化が図れ、かつ、識別管理が必要な用紙等に適用した場合に印刷範囲の拡大を図ることも可能な無線識別素子付の紙製物体を提供することができる。
【０００９】
請求項２記載の考案によれば、支持フィルム又は支持紙付き、基板付き、ＩＣチップモジュール、金属線アンテナ、ＩＣチップモジュールと金属線付きのいずれかから選定されるＲＦＩＤタグを採用する構成で、請求項１記載の考案と同様な効果を奏する無線識別素子付の紙製物体を提供することができる。
【００１０】
請求項３記載の考案によれば、単数若しくは複数の金属層部を紙面の一部で、かつ、同一面又は表裏面のいずれかに配置した態様で前記ＲＦＩＤタグに接触又は近接状態で配置した構成として、請求項１記載の考案と同様な効果を奏する無線識別素子付の紙製物体を提供することができる。
【００１１】
請求項４記載の考案によれば、ＵＨＦ帯又はマイクロ波帯で、支持フィルム又は支持紙付き、基板付き、ＩＣチップモジュール、金属線アンテナ、ＩＣチップモジュールと金属線付きのいずれかから選定されるＲＦＩＤタグを用い、複数の金属層部を直交配置、平行配置又は交差角度を有する配置のいずれかから選定される構成として請求項１記載の考案と同様な効果を奏する無線識別素子付の紙製物体を提供することができる。
【００１２】
請求項５記載の考案によれば、用紙、封筒、紙ファイル、紙製の段ボール箱等の紙製品のなかから選定される広範な紙製物体に適用して、請求項１乃至４の各考案の場合と同様な効果を奏する無線識別素子付の紙製物体を提供することができる。
【００１３】
請求項６記載の考案によれば、表出面の一部又は肉厚部の一部に配置したＵＨＦ帯又はマイクロ波帯のＲＦＩＤタグと、表出面の一部に、前記ＲＦＩＤタグに接触又は近接状態で配置したアンテナ部として機能する金属層部とからなる無線識別素子を有して構成したものであるから、無線識別素子全体としてアンテナ性能が向上し微弱電波でも通信可能となり、全体としてＲＦＩＤタグ自体の小型化、低コスト化が図れ、さらにリーダライタと組み合わせることで、書類等の物品の識別管理用として好適な無線識別素子付の樹脂製物体とすることができる。
【００１４】
請求項７記載の考案によれば、支持フィルム又は支持紙付き、基板付き、ＩＣチップモジュール、金属線アンテナ、ＩＣチップモジュールと金属線付きのいずれかから選定されるＲＦＩＤタグを採用する構成で、請求項６記載の考案と同様な効果を奏する無線識別素子付の樹脂製物体を提供することができる。
【００１５】
請求項８記載の考案によれば、複数の金属層部を紙面の一部で、かつ、同一面又は表裏面のいずれかに配置した態様で前記ＲＦＩＤタグに接触又は近接状態で配置した構成として、請求項６記載の考案と同様な効果を奏する無線識別素子付の樹脂製物体を提供することができる。
【００１６】
請求項９記載の考案によれば、複数の金属層部を直交配置、平行配置又は交差角度を有する配置のいずれかから選定される構成として請求項６記載の考案と同様な効果を奏する無線識別素子付の樹脂製物体を提供することができる。
【００１７】
請求項１０記載の考案によれば、樹脂製シート品、樹脂製ファイル、樹脂製カードケース、樹脂製袋、樹脂製梱包箱等から選定される広範な樹脂成型品に適用して請求項６乃至９の各考案の場合と同様な効果を奏する無線識別素子付の樹脂製物体を提供することができる。
【００１８】
請求項１１乃至１３記載の考案によれば、その外周部の同一面配置、表裏配置又は内装配置に設けた金属層部が、貼り付けられるＲＦＩＤタグのタグアンテナとの結合によってこのＲＦＩＤタグの交信性能を高めるアンテナ要素として機能するので、タグリーダとの交信性能に優れ、かつ、ＲＦＩＤタグを外周部に取り付け可能としたことによる印刷範囲の広いアンテナ要素付の紙製若しくは樹脂製物体を提供することができる。
【００１９】
請求項１４記載の考案によれば、タグリーダとの間の交信時において金属層部により十分なアンテナ性能を発揮させることができるアンテナ要素付の紙製若しくは樹脂製物体を提供することができる。
また、請求項１４記載の考案によれば、アンテナアームの形状は矩形に限定されず、丸型、楕円、ドーナツ型、変形型等あらゆる図形で形成することが可能である。すなわち企業のロゴ、や特定のデザインをほとんどの場合にＲＦＩＤアンテナとして活用することが可能であり、さらに元来、用紙に表示すべきデザインやホログラムを導電性粒子を含むインクや金属箔印刷で実施し、それをＲＦＩＤのタグと結合させ、印刷物のデザイン性と、ＲＦＩＤの機能を併せ持つアンテナ要素付の紙製若しくは樹脂製物体を提供することができる。
【００２０】
請求項１５記載の考案によれば、紙製若しくは樹脂製物体自体の外周長がＲＦＩＤタグの動作周波数に対応する波長よりも小さい小形であるような場合に好適なアンテナ要素付の紙製若しくは樹脂製物体を提供することができる。
【００２１】
請求項１６記載の考案によれば、２個のタグアンテナと結合する２ポートかつ２系統回路構成のＲＦＩＤチップにおけるいずれか感度の良い回路要素が動作して図示しないタグリーダと交信させることができ、より全方位的な通信を実現できる無線識別素子付の紙製若しくは樹脂製物体を提供することができる。
【００２２】
請求項１７記載の考案によれば、金属層部を形成する箔部分に腰が無いことから、例えば、曲面を持ったガラス管、ガラス瓶等の外周に容易に貼り付け、タグリーダと交信させることができる無線識別素子付の紙製若しくは樹脂製物体を提供することができる。
【考案を実施するための最良の形態】
【００２３】
本考案は、平滑に構成でき、かつ、アンテナ機能に優れ無線通信性能が向上して例えばプリント用の用紙等に適用した場合に印刷範囲の拡大を図ることが可能であるという主要な特徴を有する無線識別素子付の紙製物体を提供するという目的を有する。
【００２４】
本考案の無線識別素子付の紙製物体は、紙面の一部又は紙肉厚部の一部に配置したＵＨＦ帯又はマイクロ波帯で、支持フィルム又は支持紙付き、基板付き、ＩＣチップモジュール、金属線アンテナ、ＩＣチップモジュールと金属線付きのいずれかから選定されるＲＦＩＤタグと、前記紙面の一部で、かつ、同一面又は表裏面のいずれかの態様で前記ＲＦＩＤタグに接触又は近接状態で配置したアンテナ部として機能する直交配置、平行配置又は交差角度を有する配置のいずれかから選定される複数の金属層部とからなる無線識別素子を有する構成により上記目的を実現した。
【実施例】
【００２５】
以下に、本考案の実施例に係る無線識別素子付の紙製物体、無線識別素子付の樹脂製物体及びアンテナ要素付の紙製物体について図面を参照して詳細に説明する。
【００２６】
（実施例１）
本考案の実施例１に係る無線識別素子１０付の紙製物体１について図１乃至図５を参照して具体的に説明する。
【００２７】
本実施例１に係る紙製物体１は、例えば一枚の四角形状の紙葉からなる例えば文字等のプリント用の用紙２と、この用紙２に取り付けた無線識別素子１０と、を具備している。
【００２８】
すなわち、前記用紙２の一面に、図１において右辺から下辺にわたってＲＦＩＤタグ１１と、平坦、かつ、細幅で直方形状を呈するアンテナとして機能する２個の金属層部１２ａ、１２ｂとからなる無線識別素子１０を取り付けた構成となっている。
【００２９】
前記無線識別素子１０を構成するＲＦＩＤタグ１１は、図２に示すように、ＲＦＩＤチップ１３と、例えばループ状のタグアンテナ１４とを具備し、例えばＵＨＦ帯又はマイクロ波帯の動作周波数で機能するするパッシブ型の構成としている。
【００３０】
前記ＲＦＩＤチップ１３は、周知のように、図示しないリーダライタの給電用信号から動作電源を得るための整流・平滑回路、送受信処理等の制御を行う制御部、送受信信号の変調，復調を行う変復調回路、動作プログラム等を記憶するＲＯＭ、データを記憶する読書き可能に構成され対象物体に関する識別データ等を記憶したメモリ等をＩＣ化しワンチップとして構成し、用紙２の右下隅部に取り付けている。
【００３１】
前記金属層部１２ａ、１２ｂは、一方の金属層部１２ａを前記用紙２の図１において下辺に配置し、また、他方の金属層部１２ｂは前記用紙２の右辺に金属層部１２ａと直交するように配置し、これら金属層部１２ａ、１２ｂのＲＦＩＤタグ１１側の各端部を前記タグアンテナ１４に接触又は近接する状態としている。
【００３２】
ＲＦＩＤタグ１１を紙製物体１の中に含ませる場合は、金属線１９のループが有利となること、ＩＣチップモジュールと金属線１９の組み合わせでも、ＲＦＩＤタグ１１を形成すること、ＩＣチップモジュール単体、図１０に示す場合であってもその電極部分１８が十分に大きい場合は、電気的に非接触であっても箔アンテナ若しくは印刷アンテナ等で構成される紙製物体に配置された金属層に電気的結合が可能と言うことが判明した。
前記ＲＦＩＤタグ１１としては、図３に示すように、樹脂製の支持フィルムである透明フィルム１５上にＲＦＩＤタグ１１自体を接着等で貼り付けた構成、図４に示すように薄厚の基板１６上にＲＦＩＤタグ１１自体を搭載した構成、図１０に示すように支持材１７上にＩＣチップ２０及び電極１８、１８を搭載した構成、図１１に示すように、図１０に示す場合と同様な構成にさらに金属線１９を接続した構成、図１２示すようにＩＣチップ２０と金属線１９とを組み合わせた構成、さらには、図示しないがエッチングや印刷で形成した構成、ダイポールアンテナで形成した構成、スロットアンテナで形成した構成等を挙げることができ、これらを前記用紙２の隅部に含ませる、若しくは接着等で取り付けることで、上述した無線識別素子１０付の紙製物体１を構成できる。
【００３３】
また、前記金属層部１２ａ、１２ｂを用紙２の下辺、右辺に夫々取り付ける態様としては、前記用紙２の下辺、右辺に金属箔により形成した金属層部１２ａ、１２ｂを印刷する態様、前記用紙２の下辺、右辺に金属箔粉末を塗布して金属層部１２ａ、１２ｂとする態様、前記用紙２の下辺、右辺に金属粒子を顔料としたインクを塗布し金属層部１２ａ、１２ｂとする態様、前記用紙２の下辺、右辺に金属層を各々蒸着して金属層部１２ａ、１２ｂとする態様等、種々の取り付け態様を挙げることができる。
【００３４】
さらに、前記金属層部１２ａ、１２ｂを用紙２の下辺、右辺に取り付ける態様としては、前記金属層部１２ａ、１２ｂに対応する寸法の長方形状の樹脂フィルム上に金属箔を貼り付け樹脂フィルム付き金属層部１２ａ、１２ｂとしてこの樹脂フィルムを前記用紙２の下辺、右辺に貼り付けたり、樹脂フィルムに金属箔を箔印刷して樹脂フィルム付き金属層部１２ａ、１２ｂとしてこの樹脂フィルムを前記用紙２の下辺、右辺に貼り付けたり、樹脂フィルム上に金属箔を箔熱転写して樹脂フィルム付き金属層部１２ａ、１２ｂとしてこの樹脂フィルムを前記用紙２の下辺、右辺に貼り付けたり、樹脂フィルム上に金属粉末を塗布して樹脂フィルム付き金属層部１２ａ、１２ｂとしてこの樹脂フィルムを前記用紙２の下辺、右辺に貼り付けたり、樹脂フィルム上に金属層をメッキしてこの樹脂フィルムを前記用紙２の下辺、右辺に貼り付けたり、樹脂フィルム上に金属粒子を顔料としたインクを塗布してこの樹脂フィルムを前記用紙２の下辺、右辺に貼り付けたり、樹脂フィルム上に金属粒子を顔料としたインクを印刷してこの樹脂フィルムを前記用紙２の下辺、右辺に貼り付ける等、種々の態様を挙げることができる。
【００３５】
また、前記ＲＦＩＤタグ１１、金属層部１２ａ、１２ｂの用紙２に対する取り付け順序としては、先に用紙２の右下隅部にＲＦＩＤタグ１１を取り付け、次に用紙２の下辺、右辺に各々金属層部１２ａ、１２ｂを取り付ける例、先に用紙２の下辺、右辺に各々金属層部１２ａ、１２ｂを取り付け、次に用紙２の右下隅部にＲＦＩＤタグ１１を取り付ける等の例を挙げることができる。
【００３６】
前記ＲＦＩＤタグ１１と、用紙２との関係では、用紙２が厚み的に可能な場合、図５に示すように、用紙２の肉厚部内にＲＦＩＤタグ１１を含ませるような取り付け態様を採用することも可能である。
【００３７】
本実施例１に係る無線識別素子１０付の紙製物体１によれば、ＲＦＩＤタグ１１にアンテナとして機能する金属層部１２ａ、１２ｂを組み合わせることで、無線識別素子１０全体としてアンテナ性能が向上し微弱電波でも通信可能となって、これにより、全体としてＲＦＩＤタグ１１自体の小型化、低コスト化が図れる利点がある。
【００３８】
また、前記ＲＦＩＤタグ１１が小型であり無線識別素子１０における配置の自由度が大きく、さらに、金属層部１２ａ、１２ｂは金属箔等で薄膜、若しく細線で形成されているので用紙面が平坦となり、図示しないリーダライタとの組み合わせによって用紙２の識別機能を発揮する無線識別素子１０を具備しつつ用紙面の印刷可能範囲の拡大を図れる。
【００３９】
さらに、ＲＦＩＤタグ１１自体の小型化による省資源を通じての環境負荷低減を図れるとともに、金属層部１２ａ、１２ｂとＲＦＩＤタグ１１とは必ずしも電気的に接触させる必要がなく、また、金属層部１２ａ、１２ｂとＲＦＩＤタグ１１との配置は厳密配置する必要がない等の製造上の利点もある。
【００４０】
次に、本実施例１に係る無線識別素子１０付の紙製物体１の種々の応用例について説明する。
【００４１】
図６は、本実施例１の応用例である無線識別素子１０付の紙製物体１Ａを示すものであり、この紙製物体１Ａは、基本的には既述した紙製物体１と同様な構成であるが、前記用紙２の一面右下隅に前記ＲＦＩＤタグ１１を取り付け、用紙２の他面（裏面）に、前記紙製物体１の場合に対応する配置で金属層部１２ａ、１２ｂを配置したことが特徴である。
【００４２】
この場合、前記ＲＦＩＤタグ１１のタグアンテナ１４と、金属層部１２ａ、１２ｂとは、直接接触させなくても近接配置とするだけで、これらの間が電磁結合することから金属層部１２ａ、１２ｂのアンテナ機能を支障なく発揮させることができる。
【００４３】
図６に示す紙製物体１Ａの場合も、既述した紙製物体１の場合と同様な作用、効果を発揮させることができる。
【００４４】
図７は、本実施例１の応用例である無線識別素子１０付の紙製物体１Ｂを示すもので、この紙製物体１Ｂは、基本的には既述した紙製物体１と同様な構成であるが、用紙２の一面右下隅に前記ＲＦＩＤタグ１１を取り付け、用紙２の四辺全体にわたって既述した場合と同様に構成した細幅の金属層部１２ａ乃至１２ｄを取り付けたことが特徴である。
【００４５】
すなわち、この紙製物体１Ｂの場合には、用紙２の四辺に、金属層部１２ａ乃至１２ｄを直交配置及び平行配置に取り付けている。
この他、金属層部１２ａ乃至１２ｄのうちの例えば２個を、用紙２の面に対して交差角度を有する配置としても、支障なくアンテナ機能を発揮させることができる。
【００４６】
図７に示す紙製物体１Ｂの場合も、既述した紙製物体１の場合と同様な作用、効果を発揮させることができ、また、用紙２の四辺全体にわたって金属層部１２ａ乃至１２ｄを配置しているので、紙製物体１Ａ、１Ｂに比較しアンテナ性能をより向上できる。
【００４７】
なお、図７に示す紙製物体１Ｂにおいて、前記金属層部１２ａ乃至１２ｄの一部又は全部を用紙２の裏面に配置する構成とすることも可能である。
【００４８】
図８は、本実施例１の応用例である無線識別素子１０付の紙製物体１Ｃを示すもので、この紙製物体１Ｃは、基本的には既述した紙製物体１と同様な構成であるが、紙製物体１Ｃを構成する例えば郵便用の四角形状の封筒２１の一面に、前記紙製物体１の場合と同様、右辺から下辺にわたってＲＦＩＤタグ１１と、平坦かつ細幅で直方形状を呈するアンテナとして機能する２個の金属層部１２ａ、１２ｂとからなる無線識別素子１０を取り付けた構成となっている。
【００４９】
この紙製物体１Ｃの場合も、金属層部の配置は、既述した紙製物体１Ａ又は１Ｂの場合と同様なものとすることももちろん可能である。
【００５０】
この紙製物体１Ｃによれば、前記ＲＦＩＤタグ１１に前記金属層部１２ａ、１２ｂを組み合わせることで、無線識別素子１０全体としてアンテナ性能が向上し微弱電波でも通信可能となって、図示しないが郵便物自動読取装置に設けたリーダライトと組み合わせることで、郵便物の仕分け等を行なう場合に好適な紙製物体１Ｃとすることができる。
【００５１】
上述した無線識別素子１０付の紙製物体１乃至１Ｃの他、例えば物品収納用の紙箱、本、書類綴じ込み用の紙ファイル、物品収納用の紙製の段ボール箱等の各種紙製物体に、前記無線識別素子１０を取り付けて各々無線識別素子１０付の紙製物体とすることも可能であり、各々の場合に商品製造段階、商品流通段階等における識別管理の技術分野で既述した場合と同様な作用、効果を発揮させることができる。
【００５２】
なお、上述した紙製物体１Ｂ乃至１Ｃにおける前記ＲＦＩＤタグ１１、無線識別素子１０の各構成態様、各紙製物体１Ｂ乃至１Ｃに対する取り付け態様は、各々既述した無線識別素子１０付の紙製物体１の場合と同様とすることができる。
【００５３】
次に、図９を参照して、本考案の実施例１に係る無線識別素子１０付の樹脂製物体３１について説明する。
【００５４】
図９に示す無線識別素子１０付の樹脂製物体３１は、例えば書類等の綴り込み用の樹脂製のファイル３２と、このファイル３２に取り付けた無線識別素子１０と、を具備している。
【００５５】
すなわち、前記ファイル３２の表出面（表面）に、図９において右辺から下辺にわたって既述した場合と同様なＲＦＩＤタグ１１と、平坦かつ細幅で直方形状を呈するアンテナとして機能する既述した場合と同様な２個の金属層部１２ａ、１２ｂとからなる無線識別素子１０を取り付けた構成となっている。前記ＲＦＩＤタグ１１と、金属層部１２ａ、１２ｂとは、表裏配置とすることもできる。
【００５６】
この無線識別素子１０付の樹脂製物体３１によれば、ＲＦＩＤタグ１１にアンテナとして機能する金属層部１２ａ、１２ｂを組み合わせることで、無線識別素子１０全体としてアンテナ性能が向上し微弱電波でも通信可能となって、これにより、全体としてＲＦＩＤタグ１１自体の小型化、低コスト化が図れ、さらに図示しないリーダライタと組み合わせることで、書類等の識別管理用として好適な無線識別素子１０付の樹脂製物体３１とすることができる。
【００５７】
樹脂製物体３１における前記ＲＦＩＤタグ１１、無線識別素子１０の各構成態様、樹脂製物体３１に対するこれらの取り付け態様は、既述した紙製物体１乃至１Ｂの場合と同様とすることができる。
【００５８】
前記無線識別素子１０付の樹脂製物体の他例としては、例えば、図示しないが、各種樹脂製シート品、樹脂フィルム、樹脂製カードケース、物品収納用の樹脂製袋、物品梱包用の樹脂製梱包箱等の種々の樹脂成型品を挙げることができ、各々の場合に商品製造段階、商品流通段階等における識別管理の技術分野で既述した場合と同様な作用、効果を発揮させることができる。
【００５９】
（実施例２）
次に、本考案の実施例２に係るアンテナ要素付の紙製物体４１について、  参照して説明する。
【００６０】
本実施例２に係るアンテナ要素付の紙製物体４１は、図１３左欄に示すように、例えば一枚の四角形状の紙葉からなる例えば文字等のプリント用の用紙４３の表面に対して、例えばその左辺、下辺の近傍に沿って平坦、かつ、細幅で直方形状を呈するアンテナ要素として機能する２個の金属層部４２ａ、４２ｂを箔印刷、箔貼り付け、金属粒子入りインク塗布、蒸着、エッチングのいずれかの方法により形成することにより構成している。
【００６１】
そして、前記２個の金属層部４２ａ、４２ｂにおける左辺側の金属層部４２ａの右下隅と、下辺側の金属層部４２ｂの左側とを近接配置とし、この近接領域に図１３右欄に示すように、実施例１の場合と同様なＲＦＩＤタグ１１を前記２個の金属層部４２ａ、４２ｂにタグアンテナ１４が接触する状態で貼り付け、ＲＦＩＤタグ１１のタグアンテナ１４と金属層部４２ａ、４２ｂとを結合（電気的結合）させることで、これらＲＦＩＤタグ１１、２個の金属層部４２ａ、４２ｂの動作で前記紙製物体４１に付着した無線識別素子として機能させるようになっている。
【００６２】
前記２個の金属層部４２ａ、４２ｂに対しタグアンテナ１４が非接触となる状態で貼り付け、タグアンテナ１４と金属層部４２ａ、４２ｂとを結合（電気的結合）させる態様とすることもできる。
【００６３】
本実施例２に係るアンテナ要素付の紙製物体４１によれば、その外周部に設けた金属層部４２ａ、４２ｂが、貼り付けられるＲＦＩＤタグ１１のタグアンテナ１４との結合によってこのＲＦＩＤタグ１１の交信性能を高めるアンテナ要素として機能するので、図示しないタグリーダとの交信性能に優れ、かつ、ＲＦＩＤタグ１１を外周部に取り付け可能としたことによる印刷範囲の広いアンテナ要素付の紙製物体４１とすることができる。
【００６４】
図１４左欄は、前記アンテナ要素付の紙製物体４１の変形例であるアンテナ要素付の紙製物体４１Ａを示すものであり、この紙製物体４１Ａは、例えば一枚の四角形状の紙葉からなる文字等のプリント用の用紙４２の表面に対して、例えばその左辺の近傍に沿って平坦、かつ、細幅で直方形状を呈するアンテナ要素として機能する金属層部４２ａを箔印刷、箔貼り付け、金属粒子入りインク塗布、蒸着、エッチングのいずれかの方法により形成し、同様に、用紙４２の裏面に対して、前記紙製物体４１Ａの場合と表裏対応配置で、下辺の近傍に沿って平坦、かつ、細幅で直方形状を呈するアンテナ要素として機能する金属層部４２ｂ箔印刷、箔貼り付け、金属粒子入りインク塗布、蒸着、エッチングのいずれかの方法により形成することにより構成している。
【００６５】
そして、前記２個の金属層部４２ａの右下隅領域に、図１４右欄に示すように、実施例１の場合と同様なＲＦＩＤタグ１１を前記金属層部４２ａにタグアンテナ１４が接触する状態で貼り付け、金属層部４２ａがタグアンテナ１４と接触し、また、金属層部４２ｂが用紙４３自体を介した非接触状態とした状態でＲＦＩＤタグ１１のタグアンテナ１４と金属層部４２ａ、４２ｂとを結合（電気的結合）させることで、これらＲＦＩＤタグ１１、２個の金属層部４２ａ、４２ｂの動作で前記紙製物体４１Ａに付着した無線識別素子として機能させるようになっている。
【００６６】
このアンテナ要素付の紙製物体４１Ａによれば、その外周部に表裏配置に設けた金属層部４２ａ、４２ｂが、貼り付けられるＲＦＩＤタグ１１のタグアンテナ１４との結合によってこのＲＦＩＤタグ１１の交信性能を高めるアンテナ要素として機能するので、前記紙製物体４１の場合と同様、図示しないタグリーダとの交信性能に優れ、かつ、ＲＦＩＤタグ１１を外周部に取り付け可能としたことによる印刷範囲の広いアンテナ要素付の紙製物体４１とすることができる。
【００６７】
図１５左欄は、前記アンテナ要素付の紙製物体４１の別の変形例であるアンテナ要素付の紙製物体４１Ｂを一部切り欠いて示すものであり、このアンテナ要素付の紙製物体４１Ｂは、例えば表紙葉４４ａ、裏紙葉４４ｂからなる２層構造からなる文字等のプリント用の用紙４４の内部に、図１３に示す場合と同様な配置でアンテナ要素として機能する２個の金属層部４２ａ、４２ｂを内装しこれを紙製物体４１Ｂとするとともに、図１５右欄に示すように前記表紙葉４４ａ、裏紙葉４４ｂの間で前記金属層部４２ａ、４２ｂ間に実施例１の場合と同様なＲＦＩＤタグ１１を貼り付けて結合（電気的結合）させることで、これらＲＦＩＤタグ１１、２個の金属層部４２ａ、４２ｂの動作で前記紙製物体４１Ｂに付着した無線識別素子として機能させるようにしたことが特徴である。図１５下欄は、前記ＲＦＩＤタグ１１、２個の金属層部４２ａ、４２ｂを内装したアンテナ要素付の紙製物体４１Ｂを示すものである。
【００６８】
このアンテナ要素付の紙製物体４１Ｂによれば、その外周部で、かつ、紙製物体４１Ｂ自体に内装した金属層部４２ａ、４２ｂが、貼り付けられるＲＦＩＤタグ１１のタグアンテナ１４との結合によってこのＲＦＩＤタグ１１の交信性能を高めるアンテナ要素として機能するので、前記紙製物体４１の場合と同様、図示しないタグリーダとの交信性能に優れ、かつ、ＲＦＩＤタグ１１を外周部に取り付け可能としたことによる印刷範囲の広いアンテナ要素付の紙製物体４１とすることができる。
【００６９】
図１６上欄は、前記アンテナ要素付の紙製物体４１のさらに別の変形例であるアンテナ要素付の紙製物体４１Ｃを示すものであり、このアンテナ要素付の紙製物体４１Ｃは、用紙４３の下辺近傍に予め設計した例えば直線状で両端を開口円形状とした金属線材５１をワイヤーの貼り付け若しくは封入、箔印刷、箔貼り付の方法等で取り付けアンテナ要素付の紙製物体４１Ｃとしている。
【００７０】
そして、図１６上欄に示すように、前記金属線材５１の中央部に、実施例１の場合と同様なＲＦＩＤタグ１１を接触状態又は非接触状態で貼り付けて結合（電的結合）させることで、これらＲＦＩＤタグ１１、金属線材５１の動作で前記紙製物体４１Ｃに付着した無線識別素子として機能させるようにしたことが特徴である。
【００７１】
このアンテナ要素付の紙製物体４１Ｃによれば、用紙４３の下辺近傍に予め設計した前記金属線材５１を配置する構成で、既述したアンテナ要素付の紙製物体４１の場合と同様な作用、効果を発揮させることができる。
【００７２】
前記アンテナ要素付の紙製物体４１としては、この他図１６下欄に示すように、金属線材５１ａの両端に例えば蝶形金属層部５１ｂ、５１ｃを付加してアンテナ要素とする構成とすることもでき、この場合も既述したアンテナ要素付の紙製物体４１の場合と同様な作用、効果を発揮させることができる。
【００７３】
前記、蝶形金属層部５１ｂ、５１ｃの形状の一部を変形し、直接ＲＦＩＤタグ１１に接触若しくは近接させる様に配置することにより金属線材５１aを省略しても、既述したアンテナ要素付の紙製物体４１の場合と同様な作用、効果を発揮させることができる。
従って、アンテナ要素は、丸型、楕円、ドーナツ型、変形型等あらゆる図形で形成することが可能である。すなわち、企業のロゴ、や特定のデザインをほとんどの場合にＲＦＩＤアンテナとして活用することが可能であり、更に元来、用紙に表示すべきデザインやホログラムを導電性粒子を含むインクや金属箔印刷で実施し、それをＲＦＩＤタグ１１と結合させ、印刷物のデザイン性と、ＲＦＩＤの機能を併せ持つ紙製若しくは樹脂製物体を提供することができる。
【００７４】
図１７は、前記アンテナ要素付の紙製物体４１のさらに別の変形例であるアンテナ要素付の紙製物体４１Ｄを示すものであり、このアンテナ要素付の紙製物体４１Ｄは、図１３に示すアンテナ要素付の紙製物体４１と同様な構成であるが、用紙４３上に形成する前記２個の金属層部４２ａ、４２ｂの長さを、この用紙４３に貼り付ける前記ＲＦＩＤタグ１１の動作周波数に対応する波長Ｌ０の１／２波長以上の長さとしたことが特徴である。
【００７５】
すなわち、この紙製物体４１Ｄにおいては、前記２個の金属層部４２ａ、４２ｂのうちの一方の金属層部４２ａの長辺の長さをＬ１と、他方の金属層部４２ｂの長辺の長さをＬ２とするとき、（Ｌ１＋Ｌ１）≧Ｌ０の関係に設定している。この他の構成は既述した場合と同様である。
【００７６】
このアンテナ要素付の紙製物体４１Ｄによれば、２個の金属層部４２ａ、４２ｂの長さを、この用紙４３に貼り付けるＲＦＩＤタグ１１の動作周波数に対応する波長Ｌ０の１／２波長以上の長さとしているので、図示しないタグリーダとの間の交信時において２個の金属層部４２ａ、４２ｂにより十分なアンテナ性能を発揮させることができるアンテナ要素付の紙製物体４１Ｄとすることができる。
【００７７】
図１８は、前記アンテナ要素付の紙製物体４１のさらに別の変形例であるアンテナ要素付の紙製物体４１Ｅを示すものであり、このアンテナ要素付の紙製物体４１Ｅは、基本的には図１３に示すアンテナ要素付の紙製物体４１と同様な構成であるが、用紙４３Ａ上に形成するアンテナ要素である前記２個の金属層部４２ａ、４２ｂの長さを、この紙製物体４１Ｄに貼り付ける前記ＲＦＩＤタグ１１の動作周波数に対応する波長Ｌ０の１／２波長以下の長さとしたことが特徴である。
【００７８】
すなわち、この紙製物体４１Ｅにおいては、前記２個の金属層部４２ａ、４２ｂのうちの一方の金属層部４２ａの長辺の長さをＬ３と、他方の金属層部４２ｂの長辺の長さをＬ４とするとき、（Ｌ３＋Ｌ４）≦Ｌ０の関係に設定している。
【００７９】
また、この紙製物体４１Ｅにおいては、前記２個の金属層部４２ａ、４２ｂは電波通信ではなく、磁界型の通信形態となり、ＵＨＦ近傍界型アンテナとして磁界強度を高めるように機能する。
【００８０】
すなわち、前記２個の金属層部４２ａ、４２ｂは、ＵＨＦ近傍界型アンテナとして機能し、生成する磁界を強め、若しくは、他の部分へ伝播させる働きを強め、ＲＦＩＤタグ１１から離れた部分でも通信可能とするという効果を発揮する。
【００８１】
この紙製物体４１Ｅによれば、２個の金属層部４２ａ、４２ｂの長さを、この用紙４３に貼り付けるＲＦＩＤタグ１１の動作周波数に対応する波長Ｌ０の１／２波長以下の長さとしているので、用紙４３Ａの外周長が前記ＲＦＩＤタグ１１の動作周波数に対応する波長Ｌ０よりも小さい小形であるような場合に好適なアンテナ要素付の紙製物体４１Ｅとすることができる。
【００８２】
なお、上述した紙製物体４１Ａ乃至４１Ｅにおいて、ＲＦＩＤタグ１１のタグアンテナ１４としては、ＵＨＦダイポールアンテナ、スリットアンテナ、近傍界磁界型アンテナ等の中から適宜選定することができる。
【００８３】
また、上述した紙製物体４１Ａ乃至４１Ｅにおいては、２個の金属層部４２ａ、４２ｂを採用する場合を主に説明したが、金属層部の個数は特に限定されるものではない。
【００８４】
また、上述した紙製物体４１Ａ乃至４１Ｅの構成は、各種樹脂製シート品、樹脂フィルム、樹脂製カードケース、物品収納用の樹脂製袋、物品梱包用の樹脂製梱包箱等の種々の樹脂成型品について適用し、各々同様な構成を有するアンテナ要素付の樹脂製物体とすることができ、各々の場合に商品製造段階、商品流通段階等における識別管理の技術分野で既述した場合と同様な作用、効果を発揮させることができる。
【００８５】
（実施例３）
次に、本考案の実施例３に係る無線識別素子付の紙製物体１Ｄについて図１９、図２０を参照して説明する。
【００８６】
本実施例３に係る無線識別素子付の紙製物体１Ｄは、図１９、図２０に示すように、例えば一枚の四角形状の紙葉からなる例えば文字等のプリント用の用紙４５と、この用紙４５に取り付けた無線識別素子５０と、を具備している。
【００８７】
すなわち、前記無線識別素子５０は、用紙４５の一面に、図１９において左辺から下辺にわたって、及び、下辺に沿って各々箔印刷、箔貼り付け、金属粒子入りインク塗布、蒸着、エッチングのいずれかの方法により形成した平坦、かつ、細幅で直方形状を呈するアンテナとして機能する２個の金属層部５２ａ、５２ｂと、この２個の金属層部５２ａ、５２ｂに各々結合（電磁結合）したＲＦＩＤタグ５５とにより構成している。
【００８８】
前記ＲＦＩＤタグ５５は、２ポート（電極２組）タイプで２系統回路構成のＲＦＩＤチップ（ＩＣチップ）５３と、このＲＦＩＤチップ５３の各ポートに接続した例えば矩形ループ状のタグアンテナ５４ａ、５４ｂとを具備し、一方のタグアンテナ５４ａを前記金属層部５２ａに、他方のタグアンテナ５４ｂを前記金属層部５２ｂに各々接触（又は非接触）状態で電気的結合するように構成している。
【００８９】
前記２個の金属層部５２ａ、５２ｂの用紙４５に対する取り付け態様としては、既述した図１４に示すように表裏配置、図１５に示すような内装配置を適宜採用することができる。
【００９０】
本実施例３に係る無線識別素子付の紙製物体１Ｄによれば、上述した構成としたことにより、２個のタグアンテナ５４ａ、５４ｂと結合する２ポートかつ２系統回路構成のＲＦＩＤチップ５３におけるいずれか感度の良い回路要素が動作して図示しないタグリーダと交信させることができ、より全方位的な通信を実現できる斬新な無線識別素子５０付の紙製物体１Ｄとすることができる。なお、前記紙製物体１Ｄの構成は、封筒や樹脂製のファイル、商業用印刷物等にも広範に応用可能である。
【００９１】
本実施例３に係る無線識別素子付の紙製物体１Ｄについても、各種樹脂製シート品、樹脂フィルム、樹脂製カードケース、物品収納用の樹脂製袋、物品梱包用の樹脂製梱包箱等の種々の樹脂成型品について適用し、無線識別素子付の樹脂物体とすることができ、上述した場合と同様な効果を発揮させることができる。
【００９２】
（実施例４）
次に、本考案の実施例４に係る無線識別素子付の紙製物体１Ｅについて図２１を参照して説明する。
【００９３】
本実施例４に係る無線識別素子付の紙製物体１Ｅは、図２１に示すように、例えば長尺の基紙６０上に、ラベル型で表面にバーコード、文字等の印刷情報６１が付され、裏面に貼り付け用の糊６２が付着される多数のラベル紙６３を剥離可能に列設するとともに、このラベル紙６３の裏面外周部に箔印刷又は箔貼り付けの方法により配置したアンテナ部として機能する金属層部６４ａ、６４ｂと、ラベル紙６３の裏面外周部において前記文字等の印刷範囲に対応する領域外でＲＦＩＤチップ（ＩＣチップ）６６が前記金属層部６４ａ、６４ｂと電気的結合（ラベルの大小により電波型アンテナとして機能させ、もしくは近傍界電磁結合）するように配置したＲＦＩＤタグ６５と、を有している。
【００９４】
前記糊６２は、ＲＦＩＤチップ６６の部分を除いて金属層部６４ａ、６４ｂ等に塗着するように構成している。
【００９５】
この紙製物体１Ｅにおける金属層部６４ａ、６４ｂ、ＲＦＩＤタグ６５を取り付けた各ラベル紙６３によれば、金属層部６４ａ、６４ｂを形成する箔部分に腰が無いことから、例えば、前記ラベル紙６３を曲面を持ったガラス管、ガラス瓶等の外周に容易に貼り付け、前記ＲＦＩＤタグ６５と図示しないタグリーダと交信させることができる利点がある。
【００９６】
本実施例４に係る無線識別素子付の紙製物体１Ｅの場合も、前記多数のラベル紙６３を樹脂フィルムとした無線識別素子付の紙製物体とする応用も可能であり、この場合も前記紙製物体１Ｅの場合と同様な効果を発揮させることができる。
【産業上の利用可能性】
【００９７】
本考案は、各種ファイルを使用したドキュメント管理、予め無線識別素子を本の背表紙等に貼り付ける図書ソースタギング、磁気ストライプをも具備する磁気媒体タグ、文字等が書き換え可能なリライト看板タグやリライトカード、用紙の個別管理を実現するためのレーザープリンター用紙等への適用等広範な応用が可能であり、さらに、用紙に予め配置された画像情報を表示するホログラムと組み合わせて識別機能のより向上を図る等の展開も可能である。
【図面の簡単な説明】
【００９８】
【図１】本考案の実施例１に係る無線識別素子付の紙製物体を用紙に適用した場合の平面図である。
【図２】本実施例１に係る無線識別素子付の紙製物体におけるＲＦＩＤタグを示す平面図である。
【図３】本実施例１に係る無線識別素子付の紙製物体におけるＲＦＩＤタグの他の構成例を示す平面図である。
【図４】本実施例１に係る無線識別素子付の紙製物体におけるＲＦＩＤタグのさらに他の構成例を示す平面図である。
【図５】本実施例１に係る無線識別素子付の紙製物体におけるＲＦＩＤタグの用紙への配置例を示す断面図である。
【図６】本実施例１に係る無線識別素子付の紙製物体の応用例を示す平面図である。
【図７】本実施例１に係る無線識別素子付の紙製物体の他の応用例を示す平面図である。
【図８】本実施例１に係る無線識別素子付の紙製物体の封筒への応用例を示す平面図である。
【図９】本考案の実施例１に係る無線識別素子付の樹脂製物体を樹脂製のファイルへ適用した場合の平面図である。
【図１０】本実施例１に係る無線識別素子付の紙製物体におけるＲＦＩＤタグを、支持材上にＩＣチップ及び電極を搭載して構成した例を示す平面図である。
【図１１】本実施例１に係る無線識別素子付の紙製物体におけるＲＦＩＤタグを、支持材上にＩＣチップ及び電極を搭載しさらに金属線を接続して構成した例を示す平面図である。
【図１２】本実施例１に係る無線識別素子付の紙製物体におけるＲＦＩＤタグをＩＣチップと金属線とを組み合わせて構成した例を示す平面図である。
【図１３】本考案の実施例２に係るアンテナ要素付きの紙製物体及びＲＦＩＤタグを取り付けた場合を示す平面図である。
【図１４】本考案の実施例２に係る変形例のアンテナ要素付きの紙製物体及びＲＦＩＤタグを取り付けた場合を示す平面図である。
【図１５】本考案の実施例２に係る別の変形例のアンテナ要素付きの紙製物体及びＲＦＩＤタグを取り付けた場合を示す平面図である。
【図１６】本考案の実施例２に係るさらに別の２つの変形例のアンテナ要素付きの紙製物体を示す平面図である。
【図１７】本考案の実施例２に係るさらに別の変形例のアンテナ要素付きの紙製物体を示す平面図である。
【図１８】本考案の実施例２に係るさらに別の変形例のアンテナ要素付きの紙製物体を示す平面図である。
【図１９】本考案の実施例３に係る無線識別素子付の紙製物体を示す平面図である。
【図２０】本考案の実施例３に係る無線識別素子付の紙製物体を示す部分拡大平面図である。
【図２１】本考案の実施例４に係る無線識別素子付の紙製物体を示す部分斜視図である。
【符号の説明】
【００９９】
１    紙製物体
１Ａ  紙製物体
１Ｂ  紙製物体
１Ｃ  紙製物体
１Ｄ  紙製物体
１Ｅ  紙製物体
１０    無線識別素子
１１    ＲＦＩＤタグ
１２ａ  金属層部
１２ｂ  金属層部
１２ｃ  金属層部
１２ｄ  金属層部
１３    ＲＦＩＤチップ
１４    タグアンテナ
１５    透明フィルム
１６    基板
１７    支持材
１８    電極
１９    金属線
２０    ＩＣチップ
２１    封筒
３１    樹脂製物体
３２    ファイル
４１    紙製物体
４１Ａ  紙製物体
４１Ｂ  紙製物体
４１Ｃ  紙製物体
４１Ｄ  紙製物体
４１Ｅ  紙製物体
４２    用紙
４２ａ  金属層部
４２ｂ  金属層部
４３    用紙
４３Ａ  用紙
４４    用紙
４４ａ  表紙葉
４４ｂ  裏紙葉
４５    用紙
５０    無線識別素子
５１    金属線材
５１ａ  金属線材
５１ｂ  蝶形金属層部
５１ｃ  蝶形金属層部
５２ａ  金属層部
５２ｂ  金属層部
５３    ＲＦＩＤチップ
５４ａ  タグアンテナ
５４ｂ  タグアンテナ
５５    ＲＦＩＤタグ
６０    基紙
６１    印刷情報
６２    糊
６３    ラベル紙
６４ａ  金属層部
６４ｂ  金属層部
６５    ＲＦＩＤタグ
６６    ＲＦＩＤチップ
【図１】
0003146542.tif 000003
【図２】
0003146542.tif 000004
【図３】
0003146542.tif 000005
【図４】
0003146542.tif 000006
【図５】
0003146542.tif 000007
【図６】
0003146542.tif 000008
【図７】
0003146542.tif 000009
【図８】
0003146542.tif 000010
【図９】
0003146542.tif 000011
【図１０】
0003146542.tif 000012
【図１１】
0003146542.tif 000013
【図１２】
0003146542.tif 000014
【図１３】
0003146542.tif 000015
【図１４】
0003146542.tif 000016
【図１５】
0003146542.tif 000017
【図１６】
0003146542.tif 000018
【図１７】
0003146542.tif 000019
【図１８】
0003146542.tif 000020
【図１９】
0003146542.tif 000021
【図２０】
0003146542.tif 000022
【図２１】
0003146542.tif 000023